(57)【要約】【課題】第２搬送路を通過した媒体の整合ズレを抑制すること。【解決手段】第１搬送路（ＳＨ１）と連結するとともに、片面に画像が形成された媒体（Ｓ）を再度画像形成部（（ＵＧ＋ＧＧ）〜（ＵＫ＋ＧＫ），Ｔ１ｇ〜Ｔ１ｋ＋Ｔ２＋Ｂ）へ搬送する際に媒体（Ｓ）が通過する第２搬送路（ＳＨ４〜ＳＨ６，ＳＨ１）と、第１搬送路（ＳＨ１）上に設けられ、媒体（Ｓ）を整合する整合部（Ｓｈａ＋Ｒｃ＋ＳＧａ）と、第２搬送路上（ＳＨ４〜ＳＨ６，ＳＨ１）に設けられ、整合部（Ｓｈａ＋Ｒｃ＋ＳＧａ）へ搬送される媒体（Ｓ）の幅方向の位置を調整する調整部（Ｓｋ＋８１＋９１）とを備えた画像形成装置（Ｕ）。【選択図】図１３
2011121749.tif 000002
【特許請求の範囲】
【請求項１】
媒体へ画像を形成する画像形成部と、
前記画像形成部へ搬送される前記媒体が通過する第１搬送路と、
前記第１搬送路と連結するとともに、前記画像形成部によって片面に画像が形成された前記媒体を再度前記画像形成部へ搬送する際に前記媒体が通過する第２搬送路と、
前記第１搬送路上に設けられ、前記画像形成部へ搬送される前記媒体を整合する整合部と、
前記第２搬送路上に設けられ、前記整合部へ搬送される前記媒体の搬送方向と直交する幅方向の位置を調整する調整部と、
を備えたことを特徴とする画像形成装置。
【請求項２】
前記各搬送路を有する画像形成装置本体と、
搬入部から搬入された前記媒体を搬送方向下流側に搬送する前記第１ユニットを有する前記整合部と、
前記第１ユニットに前記媒体を搬送する第２ユニットを有する前記調整部と、
前記媒体を搬送する媒体搬送部材を回転可能に支持する前記第２ユニットの枠体と、
前記枠体に設けられた被支持部と、
前記画像形成装置本体に設けられ、前記被支持部を前記幅方向から支持する支持部と、
前記被支持部と前記支持部との間に着脱可能に構成されて、前記被支持部と前記支持部との間に装着された場合に、前記第２ユニットを搬送方向に対して前記幅方向に傾斜させて、前記媒体搬送部材により搬送される前記媒体の前記幅方向の位置を調整する調整部材であって、前記媒体が前記搬入部に搬入される搬入位置が予め設定された搬入可能範囲よりも外側となる場合に、前記搬入可能範囲より内側となるように前記第２ユニットを傾斜させる前記調整部材と、
を備えたことを特徴とする請求項１に記載の画像形成装置。
【請求項３】
前記媒体の前記幅方向側端を揃える側端揃え部材を有する前記第１ユニットと、
前記媒体に画像が記録される画像記録領域を通過して片面に画像が記録された前記媒体の表裏を反転させて前記搬入部に搬入させる反転路を有する前記第２搬送路と、
前記側端揃え部材から前記幅方向に離れた位置に、前記側端揃え部材側の前記媒体の前記幅方向側端が設定された前記搬入位置と、
を備えたことを特徴とする請求項１または２に記載の画像形成装置。
【請求項４】
前記枠体の前記搬送方向の長さである枠体長が、予め設定された前記媒体の前記搬送方向の長さの最大値である媒体最大長以上に設定された
ことを特徴とする請求項１ないし３のいずれかに記載の画像形成装置。
【請求項５】
前記枠体に設けられ、前記媒体搬送部材を回転駆動させる駆動源、
を備えたことを特徴とする請求項１ないし４のいずれかに記載の画像形成装置。
【請求項６】
前記枠体に設けられ、前記第２ユニットを傾斜させない場合に、前記被支持部と前記支持部との間から外された前記調整部材が収容される収容部、
を備えたことを特徴とする請求項１ないし５いずれかに記載の画像形成装置。
【請求項７】
前記第２ユニットの前記搬送方向上流端と、前記第２ユニットの前記搬送方向上流側の前記第２搬送路との間に形成された上流側の隙間と、
前記第２ユニットの前記搬送方向下流端と、前記第２ユニットの前記搬送方向下流側の前記第２搬送路との間に形成された下流側の隙間と、
を備えたことを特徴とする請求項１ないし６のいずれかに記載の画像形成装置。
【発明の詳細な説明】
【技術分野】
【０００１】
本発明は、画像形成装置に関する。
【背景技術】
【０００２】
従来より、電子写真方式の複写機やプリンタ等の画像形成装置において、画像が記録される画像記録領域に搬送される媒体の傾きを補正する技術として、例えば、下記の特許文献１，２に記載の技術が知られている。
【０００３】
特許文献１としての特開２００４−２８４７９５号公報には、シート供給ユニット（２２）から搬送されたシート（Ｓ）を搬送する斜行ロール（３２１〜３２３）と、前記斜行ロール（３２１〜３２３）によって搬送された前記シート（Ｓ）の側端を揃えるサイドガイド（３１０）とを有する搬送ユニット（３４０）についての技術が記載されている。
特許文献１には、ガイドモータ（３５３）や駆動伝達系（３５４）やホームセンサ（３６１）等を有する第１の調整機構（３５０）を制御して前記サイドガイド（３１０）をシート搬送方向下流端の揺動支点（３５１）を回転中心として回転させるだけでなく、ユニットモータ（３７３）や駆動伝達系（３７４）やホームセンサ（３８６）等を有する第２の調整機構（３７０）を制御して前記搬送ユニット（３４０）自体についてもシート搬送方向下流端の揺動支点（３７１）を回転中心として回転させる技術が記載されている。
【０００４】
また、特許文献２としての特開２００５−３１４０９７号公報には、給紙装置（Ｕ２）から搬送された記録用紙（Ｓ）のサイドスキューを補正するスキュー補正ユニット（Ｕｓ）についての技術が記載されている。特許文献２には、スキュー補正ユニット（Ｕｓ）の手動位置調節バー（３１）を回転させることにより、傘歯歯車（３４，３７）、中間ギア（Ｇ１〜Ｇ５）、位置調節用カム（５２）およびカムフォロア（１７）等を介して、ピボット（４）を回転中心として、前記スキュー補正ユニット（Ｕｓ）を回転移動させる技術が記載されている。
すなわち、特許文献１，２には、搬入されるまでの用紙の搬送経路が長い場合に、前記用紙の幅方向の通過位置が大きくズレる可能性があるスキュー補正ユニット自体を回転させて前記用紙のサイドスキューを補正する技術が記載されている。
【先行技術文献】
【特許文献】
【０００５】
【特許文献１】特開２００４−２８４７９５号公報（「００２９」〜「００３６」、「００４３」、図１〜図１３）
【特許文献２】特開２００５−３１４０９７号公報（「００２９」〜「００３６」、「００５９」、図１〜図１２）
【発明の概要】
【発明が解決しようとする課題】
【０００６】
本発明は、第２搬送路を通過した媒体の整合ズレを抑制することを技術的課題とする。
【課題を解決するための手段】
【０００７】
前記技術的課題を解決するために、請求項１に記載の発明の画像形成装置は、
媒体へ画像を形成する画像形成部と、
前記画像形成部へ搬送される前記媒体が通過する第１搬送路と、
前記第１搬送路と連結するとともに、前記画像形成部によって片面に画像が形成された前記媒体を再度前記画像形成部へ搬送する際に前記媒体が通過する第２搬送路と、
前記第１搬送路上に設けられ、前記画像形成部へ搬送される前記媒体を整合する整合部と、
前記第２搬送路上に設けられ、前記整合部へ搬送される前記媒体の搬送方向と直交する幅方向の位置を調整する調整部と、
を備えたことを特徴とする。
【０００８】
請求項２に記載の発明は、請求項１に記載の画像形成装置において、
前記各搬送路を有する画像形成装置本体と、
搬入部から搬入された前記媒体を搬送方向下流側に搬送する前記第１ユニットを有する前記整合部と、
前記第１ユニットに前記媒体を搬送する第２ユニットを有する前記調整部と、
前記媒体を搬送する媒体搬送部材を回転可能に支持する前記第２ユニットの枠体と、
前記枠体に設けられた被支持部と、
前記画像形成装置本体に設けられ、前記被支持部を前記幅方向から支持する支持部と、
前記被支持部と前記支持部との間に着脱可能に構成されて、前記被支持部と前記支持部との間に装着された場合に、前記第２ユニットを搬送方向に対して前記幅方向に傾斜させて、前記媒体搬送部材により搬送される前記媒体の前記幅方向の位置を調整する調整部材であって、前記媒体が前記搬入部に搬入される搬入位置が予め設定された搬入可能範囲よりも外側となる場合に、前記搬入可能範囲より内側となるように前記第２ユニットを傾斜させる前記調整部材と、
を備えたことを特徴とする。
【０００９】
請求項３に記載の発明は、請求項１または２に記載の画像形成装置において、
前記媒体の前記幅方向側端を揃える側端揃え部材を有する前記第１ユニットと、
前記媒体に画像が記録される画像記録領域を通過して片面に画像が記録された前記媒体の表裏を反転させて前記搬入部に搬入させる反転路を有する前記第２搬送路と、
前記側端揃え部材から前記幅方向に離れた位置に、前記側端揃え部材側の前記媒体の前記幅方向側端が設定された前記搬入位置と、
を備えたことを特徴とする。
【００１０】
請求項４に記載の発明は、請求項１ないし３のいずれかに記載の画像形成装置において、
前記枠体の前記搬送方向の長さである枠体長が、予め設定された前記媒体の前記搬送方向の長さの最大値である媒体最大長以上に設定された
ことを特徴とする。
【００１１】
請求項５に記載の発明は、請求項１ないし４のいずれかに記載の画像形成装置において、
前記枠体に設けられ、前記媒体搬送部材を回転駆動させる駆動源、
を備えたことを特徴とする。
【００１２】
請求項６に記載の発明は、請求項１ないし５のいずれかに記載の画像形成装置において、
前記枠体に設けられ、前記第２ユニットを傾斜させない場合に、前記被支持部と前記支持部との間から外された前記調整部材が収容される収容部、
を備えたことを特徴とする。
【００１３】
請求項７に記載の発明は、請求項１ないし６のいずれかに記載の画像形成装置において、
前記第２ユニットの前記搬送方向上流端と、前記第２ユニットの前記搬送方向上流側の前記第２搬送路との間に形成された上流側の隙間と、
前記第２ユニットの前記搬送方向下流端と、前記第２ユニットの前記搬送方向下流側の前記第２搬送路との間に形成された下流側の隙間と、
を備えたことを特徴とする。
【発明の効果】
【００１４】
請求項１に記載の発明によれば、本構成を有しない場合に比べ、第２搬送路を通過した媒体の整合ズレを抑制することができる。
請求項２に記載の発明によれば、第２ユニットを傾斜させる構成を有しない場合に比べ、簡素な構成で媒体の幅方向のズレを低減することができる。
請求項３に記載の発明によれば、側端揃え部材から幅方向に離れた搬入位置に媒体が搬入されない場合に比べ、媒体の傾きを精度良く補正することができると共に、側端揃え部材の搬送方向上流端に反転された媒体の搬送方向前端が接触する媒体の詰まりを低減することができる。
【００１５】
請求項４に記載の発明によれば、媒体全体が第２ユニット内に収容される期間を確保でき、第２ユニット内部の媒体搬送部材のみで媒体の幅方向のズレを打ち消す方向へ搬送することができ、第２ユニット内外の搬送路に跨って媒体が搬送される構成に比べ、媒体の幅方向のズレを打ち消す方向へ媒体を搬送し易くすることができると共に、媒体のねじれやシワの発生を低減できる。
【００１６】
請求項５に記載の発明によれば、駆動源を有する第２ユニットを傾斜させることができる。
請求項６に記載の発明によれば、第２ユニットを傾斜させない場合でも、第２ユニット内に調整部材を収容することができる。
請求項７に記載の発明によれば、各隙間が形成されていない構成に比べ、第２ユニットの傾斜が妨げられることが低減できる。
【図面の簡単な説明】
【００１７】
【図１】図１は実施例１のプリンタの全体説明図である。
【図２】図２は実施例１のプリンタの画像形成装置本体の説明図である。
【図３】図３は実施例１のプリンタのインターフェースモジュールおよびスタッカ装置の説明図である。
【図４】図４は実施例１の画像形成装置本体の要部拡大説明図であり、可視像形成装置およびベルトモジュールの説明図である。
【図５】図５は実施例１の媒体搬送ユニットの説明図であり、図５Ａは媒体搬送ユニットの斜視拡大説明図であり、図５Ｂは右方から見た媒体搬送ユニットの開閉の説明図である。
【図６】図６は媒体搬送ユニットを後方の左斜め下方の位置から右斜め上方に見上げた状態の説明図である。
【図７】図７は実施例１のハンドルおよびラッチの斜視拡大説明図である。
【図８】図８は実施例１の本体固定ブラケットの拡大説明図である。
【図９】図９は実施例１のスペーサの拡大説明図である。
【図１０】図１０は図７の状態から右側の被支持部と右側の枠体支持部との間にスペーサを装着した状態の説明図である。
【図１１】図１１は右側の被支持部と右側の枠体支持部との間にスペーサが装着された媒体搬送ユニットをローワーシュートの下方から見下ろした状態の要部拡大説明図である。
【図１２】図１２は媒体搬送ユニットの傾斜についての説明図であり、図１２Ａは右側の被支持部と右側の枠体支持部との間にスペーサが装着された媒体搬送ユニットを上方から見下ろした状態の説明図であり、図１２Ｂは左側の被支持部と左側の枠体支持部との間にスペーサが装着された媒体搬送ユニットを上方から見下ろした状態の説明図である。
【図１３】図１３は実施例１のスキュー補正ユニットの搬入位置についての説明図である。
【発明を実施するための形態】
【００１８】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１９】
（実施例１のプリンタＵの説明）
図１は実施例１のプリンタの全体説明図である。
図２は実施例１のプリンタの画像形成装置本体の説明図である。
図３は実施例１のプリンタのインターフェースモジュールおよびスタッカ装置の説明図である。
図１〜図３において、画像形成装置の一例としてのプリンタＵは、画像形成装置本体Ｕ１と、画像形成装置本体Ｕ１の媒体排出方向下流側に配置され、プリンタＵを操作するための操作部ＵＩを有する湾曲除去装置の一例としてのインターフェースモジュールＵ２と、インターフェースモジュールＵ２の媒体排出方向下流側に配置された媒体排出積載装置の一例としてのスタッカ装置Ｕ３とを有する。
【００２０】
（実施例１の画像形成装置本体Ｕ１の説明）
図２において、前記画像形成装置本体Ｕ１は、画像記録部Ｕ１ａと、定着反転部Ｕ１ｂとを有し、前記画像形成装置本体Ｕ１の制御を行う本体側制御部Ｃ１や、外部の情報送信装置ＣＯＭからインターフェースモジュールＵ２を介して送信された画像情報を受信する図示しない情報送受信装置、および前記本体側制御部Ｃ１により制御される潜像形成装置駆動回路Ｄ、電源回路Ｅ等を有する。
本体側制御部Ｃ１により作動を制御される画像記録部Ｕ１ａの潜像形成装置駆動回路Ｄは、前記インターフェースモジュールＵ２を介して送信された画像情報に基づいて、Ｇ：グリーン、Ｏ：オレンジ、Ｙ：イエロー、Ｍ：マゼンタ、Ｃ：シアン、Ｋ：黒の画像情報を作成し、それらに応じた駆動信号を予め設定された時期に各色Ｇ〜Ｋの潜像形成装置ＲＯＳg，ＲＯＳo，ＲＯＳy，ＲＯＳm，ＲＯＳc，ＲＯＳkに出力する。
【００２１】
図４は実施例１の画像形成装置本体の要部拡大説明図であり、可視像形成装置およびベルトモジュールの説明図である。
図２、図４において、前記各色Ｇ〜Ｋの潜像形成装置ＲＯＳg〜ＲＯＳkの下方には、各色Ｇ〜Ｋの像保持体ユニットＵＧ，ＵＯ，ＵＹ，ＵＭ，ＵＣ，ＵＫと、現像装置の一例としての各色Ｇ〜Ｋの現像器ＧＧ，ＧＯ，ＧＹ，ＧＭ，ＧＣ，ＧＫとが着脱可能に装着される。
黒Ｋの像保持体ユニットＵＫは、像保持体の一例としての感光体ドラムＰｋ、帯電器ＣＣｋおよび像保持体用清掃器の一例としてのドラムクリーナＣＬｋを有する。また、前記感光体ドラムＰｋの右方には、黒Ｋの現像器ＧＫの現像部材の一例としての現像ロールＲ０ｋが隣接して配置される。
【００２２】
そして、他の各色Ｇ〜Ｃの像保持体ユニットＵＧ〜ＵＣも、感光体ドラムＰｇ，Ｐｏ，Ｐｙ，Ｐｍ，Ｐｃ、帯電器ＣＣｇ，ＣＣｏ，ＣＣｙ，ＣＣｍ，ＣＣｃ、ドラムクリーナＣＬｇ，ＣＬｏ，ＣＬｙ，ＣＬｍ，ＣＬｃを有する。また、前記他の各色Ｇ〜Ｃの感光体ドラムＰｇ〜Ｐｃの右方には、他の各色Ｇ〜Ｃの現像器ＧＧ〜ＧＣの現像部材の一例としての現像ロールＲ０ｇ，Ｒ０ｏ，Ｒ０ｙ，Ｒ０ｍ，Ｒ０ｃが、それぞれ隣接して配置される。
なお、実施例１では、使用頻度の高く表面の磨耗が多いＫ色の感光体ドラムＰｋは、他の色の感光体ドラムＰｇ〜Ｐｃに比べて大径に構成され、高速回転対応および長寿命化が図られている。
前記各像保持体ユニットＵＧ〜ＵＫと前記各現像器ＧＧ〜ＧＫとにより、可視像形成装置（ＵＧ＋ＧＧ），（ＵＯ＋ＧＯ），（ＵＹ＋ＧＹ），（ＵＭ＋ＧＭ），（ＵＣ＋ＧＣ），（ＵＫ＋ＧＫ）が構成される。
【００２３】
図２、図４において、前記感光体ドラムＰｇ〜Ｐｋは、それぞれ帯電器ＣＣｇ〜ＣＣｋにより一様に帯電された後、前記潜像形成装置ＲＯＳg〜ＲＯＳkの出力する潜像書込光の一例としてのレーザビームＬｇ，Ｌｏ，Ｌｙ，Ｌｍ，Ｌｃ，Ｌｋにより、その表面に静電潜像が形成される。前記感光体ドラムＰｇ〜Ｐｋ表面の静電潜像は、現像器ＧＧ〜ＧＫ内の現像剤により、Ｇ：グリーン、Ｏ：オレンジ、Ｙ：イエロー、Ｍ：マゼンタ、Ｃ：シアン、Ｋ：黒の画像、可視像の一例としてのトナー像に現像される。
なお、現像により現像器Ｇｇ〜Ｇｋ内の現像剤が消費されると、画像形成装置本体Ｕ１の上部に設けられた現像剤補給装置Ｕ１ｃから現像剤が現像器Ｇｇ〜Ｇｋに補給される。前記現像剤補給装置Ｕ１ｃには、現像剤補給容器の一例としてのトナーカートリッジＫｇ，Ｋｏ，Ｋｙ，Ｋｍ，Ｋｃ，Ｋｋが着脱、交換可能に支持されている。
【００２４】
図２、図４において、感光体ドラムＰｇ〜Ｐｋ表面上のトナー像は、１次転写領域Ｑ３ｇ，Ｑ３ｏ，Ｑ３ｙ，Ｑ３ｍ，Ｑ３ｃ，Ｑ３ｋにおいて、１次転写部材の一例としての１次転写ロールＴ１ｇ，Ｔ１ｏ，Ｔ１ｙ，Ｔ１ｍ，Ｔ１ｃ，Ｔ１ｋにより、中間転写体の一例としての中間転写ベルトＢ上に順次重ねて転写され、中間転写ベルトＢ上に多色画像、いわゆる、カラー画像が形成される。中間転写ベルトＢ上に形成されたカラー画像は、画像記録領域の一例としての２次転写領域Ｑ４に搬送される。
なお、黒画像データのみの場合は黒Ｋの感光体ドラムＰｋおよび現像器ＧＫのみが使用され、黒Ｋのトナー像のみが形成される。また、Ｙ，Ｍ，Ｃ，Ｋの４色印刷や、使用者の設定等に応じた２色、３色印刷等が行われる場合には、該当する感光体ドラムＰｇ〜Ｐｋおよび現像器ＧＧ〜ＧＫが使用される。
１次転写後、感光体ドラムＰｇ〜Ｐｋ表面の残留トナーは感光体ドラム用の各ドラムクリーナＣＬｇ〜ＣＬｋによりクリーニングされ、帯電器ＣＣｇ〜ＣＣｋで再帯電される。
【００２５】
図１、図２、図４において、各感光体ドラムＰｇ〜Ｐｋの下方には、中間転写装置の一例としてのベルトモジュールＢＭが、前記各感光体ドラムＰｇ〜Ｐｋの下面に接触する上昇位置と前記下面から下方に離れた下降位置との間で昇降可能に支持されている。
前記ベルトモジュールＢＭは、前記中間転写ベルトＢを有している。前記中間転写ベルトＢは、中間転写ベルトＢを裏面から支持する中間転写体駆動部材の一例としてのベルト駆動ロールＲｄにより矢印Ｙａ方向に回転駆動され、張力付与部材の一例としてのテンションロールＲｔにより張力が付与されて張架される。また、前記中間転写ベルトＢは、前記中間転写ベルトＢの蛇行を防止する蛇行防止部材の一例としてのウォーキングロールＲｗや、従動部材の一例としての複数のアイドラロールＲｆ、２次転写対向部材の一例としてのバックアップロールＴ２ａにより裏面側が支持される。
【００２６】
また、図４において、実施例１では、Ｇ色の１次転写ロールＴ１ｇの矢印Ｙａ方向上流側には、矢印Ｙａ方向に対して垂直な方向であって前記感光体ドラムＰｇに対して前記中間転写ベルトＢを接触・離隔させる方向である接離方向に移動可能に支持された接離用中間転写体支持部材の一例としての第１リトラクトロールＲ１が配置されている。また、Ｏ色の各１次転写ロールＴ１ｏの矢印Ｙａ方向下流側且つＹ色の各１次転写ロールＴ１ｙの矢印Ｙａ方向上流側には、前記第１リトラクトロールＲ１と同様に構成された前記接離用中間転写体支持部材の一例としての第２リトラクトロールＲ２および第３リトラクトロールＲ３が並んで配置されている。また、Ｃ色の各１次転写ロールＴ１ｃの矢印Ｙａ方向下流側且つＫ色の各１次転写ロールＴ１ｋの矢印Ｙａ方向上流側には、前記第１リトラクトロールＲ１と同様に構成された前記接離用中間転写体支持部材の一例としての第４リトラクトロールＲ４が配置されている。さらに、Ｋ色の各１次転写ロールＴ１ｋの矢印Ｙａ方向下流側には、前記第１リトラクトロールＲ１と同様に構成された前記接離用中間転写体支持部材の一例としての第５のリトラクトロールＲ５が配置されている。
【００２７】
また、図４において、前記各１次転写ロールＴ１ｇ〜Ｔ１ｋの矢印Ｙａ方向下流側には、前記中間転写ベルトＢ裏面の電荷を除電する除電部材の一例としての平板状の除電板金ＪＢが配置されている。なお、実施例１の前記除電板金ＪＢは、前記中間転写ベルトＢとは非接触で配置されており、例えば、前記中間転写ベルトＢの裏面から２ｍｍ離れた位置に配置できる。
前記各ロールＲｄ，Ｒｔ，Ｒｗ，Ｒｆ，Ｔ２ａ，Ｒ１〜Ｒ５により、前記中間転写ベルトＢを裏面から回転可能に支持する中間転写体支持部材の一例としてのベルト支持ロールＲｄ，Ｒｔ，Ｒｗ，Ｒｆ，Ｔ２ａ，Ｒ１〜Ｒ５が構成される。
また、前記中間転写ベルトＢ、前記ベルト支持ロールＲｄ，Ｒｔ，Ｒｗ，Ｒｆ，Ｔ２ａ，Ｒ１〜Ｒ５、前記各１次転写ロールＴ１ｇ〜Ｔ１ｋ、前記除電板金ＪＢ等により、実施例１の前記ベルトモジュールＢＭが構成される。
【００２８】
前記バックアップロールＴ２ａの下方には、２次転写ユニットＵｔが配置されている。２次転写ユニットＵｔには、２次転写部材の一例としての２次転写ロールＴ２ｂが設けられている。前記２次転写ロールＴ２ｂは、中間転写ベルトＢを挟んでバックアップロールＴ２ａに接触、離隔可能に配置されており、前記２次転写ロールＴ２ｂが中間転写ベルトＢと圧接する領域により２次転写領域Ｑ４が形成されている。また、前記バックアップロールＴ２ａには、接触導通部材の一例としてのコンタクトロールＴ２ｃが当接している。前記コンタクトロールＴ２ｃには、本体側制御部Ｃ１により制御される電源回路Ｅから予め設定された時期に現像剤の帯電極性と同極性の２次転写電圧が印加される。
【００２９】
前記バックアップロールＴ２ａ、２次転写ロールＴ２ｂ、コンタクトロールＴ２ｃにより、実施例１の２次転写器Ｔ２が構成される。前記１次転写ロールＴ１ｇ〜Ｔ１ｋ、中間転写ベルトＢ、２次転写器Ｔ２により、実施例１の転写装置Ｔ１ｇ〜Ｔ１ｋ＋Ｔ２＋Ｂが構成される。
前記可視像形成装置（ＵＧ＋ＧＧ）〜（ＵＫ＋ＧＫ）および前記転写装置Ｔ１ｇ〜Ｔ１ｋ＋Ｔ２＋Ｂ等により、実施例１の画像形成部（ＵＧ＋ＧＧ）〜（ＵＫ＋ＧＫ），Ｔ１ｇ〜Ｔ１ｋ＋Ｔ２＋Ｂが構成されている。
【００３０】
前記ベルトモジュールＢＭの下方には、媒体の一例としての記録シートＳが収容される媒体収容部の一例として給紙トレイＴＲ１，ＴＲ２が設けられている。前記給紙トレイＴＲ１，ＴＲ２に収容された記録シートＳは、媒体取出部材の一例としてのピックアップロールＲｐにより給紙トレイＴＲ１，ＴＲ２から取り出され、捌き部材の一例としての捌きロールＲｓで一枚ずつ分離されて、第１搬送路の一例としての媒体供給路ＳＨ１に搬送される。
前記媒体供給路ＳＨ１に搬送された記録シートＳは、媒体搬送部材の一例としての搬送ロールＲａにより、媒体不要部除去装置の一例としてのバリ取り装置Ｂｔに搬送される。前記バリ取り装置Ｂｔは、加圧部材の一例としての加圧ロールＢｔ１と、対向部材の一例として、前記加圧ロールＢｔ１に加圧されて接触する対向ロールＢｔ２とを有する。前記加圧ロールＢｔ１と対向ロールＢｔ２とによって、記録シートＳは、加圧されて挟まれて搬送され、記録シートＳ端部の不要部の除去、いわゆる、記録シートＳのバリ取りが行われる。
【００３１】
バリ取りされた記録シートＳは、重送検知装置Ｊｋに搬送される。前記重送検知装置Ｊｋは、記録シートＳについて、前記捌きロールＲｓにより捌ききれずに搬送され、複数枚の記録シートＳが重なって搬送されているか否か、すなわち、重送か否かを検知する。
なお、前記重送検知装置Ｊｋの搬送方向の一例としての媒体搬送方向の上流側には、手差し供給路ＳＨ０が接続されており、図示しない手差し媒体供給部から供給された記録シートＳも重送検知装置Ｊｋで重送の検知がされる。
重送か否かが検知された記録シートＳは、第１ユニットの一例であって、傾斜姿勢補正ユニットの一例としてのスキュー補正ユニットＳｈに搬送される。前記スキュー補正ユニットＳｈは、斜行ロールの一例としてのクロストロールＲｃと、前記スキュー補正ユニットＳｈの前端部に配置された後述する図１３に示す側端揃え部材の一例としてのサイドガイドＳＧａとを有する。実施例１では、前記クロストロールＲｃによって、記録シートＳを前方のサイドガイドＳＧａに接触させて、記録シートＳの傾斜姿勢、いわゆる、スキューを補正する。
スキューが補正された記録シートＳは、搬送時期調整部材の一例としてのレジロールＲｒに搬送される。
【００３２】
前記レジロールＲｒに搬送された記録シートＳは、中間転写ベルトＢ上の多色画像または単色画像が２次転写領域Ｑ４に搬送される時期に合わせて、転写前媒体案内部材ＳＧ１を通って、２次転写領域Ｑ４に搬送される。
前記中間転写ベルトＢ上の多色画像は、前記２次転写領域Ｑ４を通過する際に前記２次転写器Ｔ２により前記記録シートＳに転写される。なお、多色画像の場合は中間転写ベルトＢ表面に重ねて１次転写されたトナー像が一括して記録シートＳに２次転写される。２次転写後の前記中間転写ベルトＢは、中間転写体清掃器の一例としてのベルトクリーナＣＬｂにより清掃される。
【００３３】
図１〜図３において、未定着可視像が２次転写された記録シートＳは、転写後媒体案内部材ＳＧ２を通って、定着前媒体搬送部材の一例としての搬送ベルトＨＢによって、定着反転部Ｕ１ｂに設けられた定着装置Ｆに搬送される。
図３において、前記定着装置Ｆは、加熱定着部材の一例としての加熱ロールＦｈと、加圧定着部材の一例としての加圧ロールＦｐとを有する。前記記録シートＳは、一対の定着部材Ｆｈ，Ｆｐが、圧力が作用した状態で接触する定着領域Ｑ５に搬送される。前記記録シートＳ上の未定着可視像は定着領域Ｑ５を通過する際に定着装置Ｆにより加熱定着される。
【００３４】
図２において、加熱定着された記録シートＳは、冷却装置Ｃｏに搬送される。前記冷却装置Ｃｏは、無端帯状の上側搬送部材の一例として、回転可能に張架された上側搬送ベルトＣｏ１と、無端帯状の下側搬送部材の一例として、前記上側搬送ベルトＣｏ１に対向して回転可能に張架された下側搬送ベルトＣｏ２とを有する。前記上側搬送ベルトＣｏ１の内側には、放熱部材の一例としてのヒートシンクＣｏ３が配置されており、上側搬送ベルトＣｏ１の熱が奪われて、図示しない送風部材により外部に放出される。
これにより、定着装置Ｆによって加熱された記録シートＳが、一対の搬送ベルトＣｏ１，Ｃｏ２に挟まれて搬送されると、記録シートＳの熱が、搬送ベルトＣｏ１，Ｃｏ２によって奪われて、前記記録シートＳが冷却される。
【００３５】
冷却された記録シートＳは、本体側の湾曲除去装置の一例としての本体デカール装置Ｈｄに搬送される。前記本体デカール装置Ｈｄは、第１湾曲除去部材の一例として、大径で上側の軟性円筒部材と小径で下側の硬性円筒部材とによって記録シートＳを挟み、記録シートＳの湾曲、いわゆる、カールを除去するロール型デカール部材Ｈｄ１を有する。前記ロール型デカール部材Ｈｄ１の媒体搬送方向下流側には、第２湾曲除去部材の一例として、張架された無端帯状部材と前記無端帯状部材に上側から接触する円筒部材とによって記録シートＳを挟み、カールを除去するベルト型デカール部材Ｈｄ２が配置されている。
本体デカール装置Ｈｄでは、ロール型デカール部材Ｈｄ１、ベルト型デカール部材Ｈｄ２によって、カールが除去された後に、排出部材Ｈｄ３によって、記録シートＳが本体デカール装置Ｈｄから排出される。
【００３６】
前記本体デカール装置Ｈｄの媒体搬送方向下流側には、搬送路切替部材ＧＴ１が設けられている。前記搬送路切替部材ＧＴ１は、媒体搬送路の一例としての本体処理路ＳＨ２を搬送された記録シートＳの搬送先を、本体排出路ＳＨ３または媒体反転路ＳＨ４のいずれかに選択的に切り替える。
前記本体排出路ＳＨ３に搬送された記録シートＳは、本体排出部材の一例としての本体排出ロールＲｈにより、画像の記録された画像記録面が上向きの状態のまま、いわゆる、フェイスアップの状態で、インターフェースモジュールＵ２に搬送される。
【００３７】
記録シートＳの画像記録面を上向きの状態から下向きの状態に反転して、いわゆる、フェイスダウンの状態でインターフェースモジュールＵ２に搬送する場合、本体処理路ＳＨ２から搬送された記録シートＳは、前記搬送路切替部材ＧＴ１によって媒体反転路ＳＨ４に案内される。そして、前記記録シートＳの媒体搬送方向後端が、媒体反転路ＳＨ４の分岐部に設けられた搬送路切替部材ＧＴ２を通過すると、反転搬送部材の一例としての正逆回転可能な反転ロールＲｂによって、記録シートＳが逆搬送されて、いわゆる、スイッチバックする。そして、スイッチバックした記録シートＳは、前記搬送路切替部材ＧＴ２によって本体排出路ＳＨ３に案内されて、記録シートＳの画像記録面が上向きの状態から下向きの状態に反転されて、インターフェースモジュールＵ２に搬送される。
【００３８】
記録シートＳの両面に画像が記録される場合、本体処理路ＳＨ２から搬送された片面に画像が記録済みの記録シートＳは、搬送路切替部材ＧＴ１によって、媒体反転路ＳＨ４に案内される。そして、前記記録シートＳは、媒体反転路ＳＨ４の反転ロールＲｂによって、第２ユニットの一例としての媒体搬送ユニットＳｋを有する媒体循環路ＳＨ５に搬送され、両面記録反転路ＳＨ６に向けて搬送される。前記記録シートＳの媒体搬送方向後端が、媒体循環路ＳＨ５と両面記録反転路ＳＨ６の接続部に設けられた搬送路切替部材ＧＴ３を通過すると、記録シートＳがスイッチバックされる。スイッチバックした記録シートＳは、前記搬送路切替部材ＧＴ３によって媒体供給路ＳＨ１側に案内され、媒体供給路ＳＨ１に再送される。
【００３９】
これにより、片面に画像が記録された記録シートＳは、表裏が反転した状態で、媒体供給路ＳＨ１を搬送されて２次転写領域Ｑ４に再送され、画像の記録されていないもう一方の面にも画像が記録される。
前記各符号ＳＨ４〜ＳＨ６等により、実施例１の反転路（ＳＨ４〜ＳＨ６）が構成されており、反転路（ＳＨ４〜ＳＨ６）および媒体供給路ＳＨ１により、実施例１の第２搬送路が構成されている。また、前記各符号ＳＨ１〜ＳＨ６等により、実施例１の搬送路（ＳＨ１〜ＳＨ６）が構成されている。
【００４０】
（実施例１のインターフェースモジュールＵ２の説明）
図３において、インターフェースモジュールＵ２の操作部ＵＩは、情報を表示する表示部ＵＩ１やプリンタＵの各種設定を行うための入力釦ＵＩ２を有する。また、インターフェースモジュールＵ２は、外部の情報送信装置ＣＯＭから送信された画像情報を受信して、各種処理およびプリンタＵの制御を行う主制御部Ｃ２を有する。
前記インターフェースモジュールＵ２の内部には、湾曲除去装置の搬送路の一例としてのカール除去路ＳＨ２１が設けられている。前記カール除去路ＳＨ２１には、画像形成装置本体Ｕ１の本体排出路ＳＨ３から記録シートＳが搬送される。前記カール除去路ＳＨ２１に搬送された記録シートＳは、搬送ロールＭＲａによって、湾曲除去装置本体の一例としてのモジュールデカール装置Ｍｄに搬送される。前記記録シートＳは、前記モジュールデカール装置Ｍｄによって、カールが除去され、排出ロールＭＲｈによって、カール除去路ＳＨ２１からスタッカ装置Ｕ３に排出される。なお、前記モジュールデカール装置Ｍｄは、従来公知であり、例えば、特開２００６−５２０３３３号公報に記載されている構成と同様の構成を採用可能であるため、その詳細な説明は省略する。
【００４１】
（実施例１のスタッカ装置Ｕ３の説明）
図３において、実施例１のスタッカ装置Ｕ３は、媒体排出積載装置の搬送路の一例として、前記インターフェースモジュールＵ２のカール除去路ＳＨ２１に接続されたスタッカ排出路ＳＨ３１を有する。前記スタッカ排出路ＳＨ３１の媒体搬送方向下流側には、媒体排出積載装置の媒体排出部材の一例としてのスタッカ排出ロールＳＲｈが配置されている。前記スタッカ排出ロールＳＲｈによって、下方に配置された積載容器の一例としてのスタッカ容器ＴＲｈに、記録シートＳが排出、積載される。前記スタッカ容器ＴＲｈ内には、積載部材の一例として、上面に記録シートＳが積載される底板ＴＲｈ１が配置されている。前記底板ＴＲｈ１は、記録シートＳの積載量に応じて自動的に昇降する。
【００４２】
（実施例１の媒体搬送ユニットＳｋの説明）
図５は実施例１の媒体搬送ユニットの説明図であり、図５Ａは媒体搬送ユニットの斜視拡大説明図であり、図５Ｂは右方から見た媒体搬送ユニットの開閉の説明図である。
図６は媒体搬送ユニットを後方の左斜め下方の位置から右斜め上方に見上げた状態の説明図である。
図５、図６において、実施例１の前記媒体搬送ユニットＳｋは、前記画像形成装置本体Ｕ１に固定された下側の固定部１と、前記固定部１に対して開閉可能に支持された上側の開閉部２とを有する。
【００４３】
（実施例１の固定部１の説明）
前記固定部１は、枠体の一例として、前記画像形成装置本体Ｕ１に支持される固定フレーム３を有する。
実施例１の前記固定フレーム３は、下側案内部材の一例としてのローワーシュート４と、前記ローワーシュート４の前後両端を上端部で支持する前側支持部の一例としての前側支持プレート６と後側支持部の一例としての後側支持プレート７とを有する。前記ローワーシュート４の幅方向の一例としての媒体幅方向である前後方向中央部には、左右方向に間隔を空けてコロ貫通孔４ａが形成されている。
また、前記各支持プレート６，７には、前記コロ貫通孔４ａに対応する位置に、前後方向に延びる前記搬送ロールＲａの駆動軸８が支持されている。また、前記駆動軸８には、前記コロ貫通孔４ａに対応して、駆動コロ９が支持されており、前記駆動コロ９は、一部が前記コロ貫通孔４ａを上方に貫通した状態で支持されている。
また、実施例１の前記各支持プレート６，７の下端部には、左右両側に配置された右側連結部の一例としての右側タイバー１１と左側連結部の一例としての左側タイバー１２とが支持されている。
【００４４】
すなわち、実施例１の前記各支持プレート６，７は、前記ローワーシュート４と、前記駆動軸８と、前記各タイバー１１，１２とによって連結されている。
また、実施例１の前記前側支持プレート６の前端面６ａの中央部には、前方に突出した被保持部の一例としてのラッチ受け部１３，１４が左右方向に間隔を空けて形成されている。また、前記前端面６ａの左右両端の下端部には、前方に突出した案内軸支持部の一例としてのガイドバー支持部１６，１７が支持されている。また、前記ガイドバー支持部１６，１７の前端部には、案内軸の一例としてのガイドバー１８，１９が、左右方向に延びる下端の回転軸１６ａ，１７ａを回転中心として回転可能に支持されている。また、前記ガイドバー１８，１９には、押圧部材の一例としての押圧バネ２１，２２が貫通された状態で装着されている。
【００４５】
また、前記前側支持プレート６の右側下端部には、右側の固定部の一例としての右側の螺子貫通孔２３および右側の突起貫通孔２４が形成されている。また、前記右側の螺子貫通孔２３および前記右側の突起貫通孔２４の上方には、右側の調整固定部の一例としての右側の螺子貫通孔２６および右側の突起貫通孔２７が形成されている。
また、前記前側支持プレート６の左側下端部にも、前記各孔２３〜２７と同様に、左側の固定部の一例としての左側の螺子貫通孔２８および左側の突起貫通孔２９と、左側の調整固定部の一例としての左側の螺子貫通孔３１および左側の突起貫通孔３２とが形成されている。
また、前記前側支持プレート６の中央下端部には、各螺子貫通孔２６，３１および各突起貫通孔２７，３２と同様に、収容固定部の一例としての中央の螺子貫通孔３３および中央の突起貫通孔３４が形成されている。
【００４６】
図５Ｂにおいて、実施例１の前記後側支持プレート７の前端面７ａには、前方に突出する開閉軸受部３５が支持されている。
また、図５、図６において、実施例１の前記後側支持プレート７の後端面７ｂの左側上端部には、前記搬送ロールＲａを回転駆動する駆動源の一例としての駆動モータ３６が支持されている。
また、前記後端面７ｂの上下方向中央部には、前記駆動軸８が貫通して後方に延びており、貫通した前記駆動軸８どうしの間には、後方に延びる複数の軸部３７が形成されている。また、前記駆動軸８および前記軸部３７には、駆動伝達部材の一例としてのプーリー３８が支持されており、前記プーリー３８には前記駆動モータ３６の図示しない回転軸の回転駆動によって回転する無端帯状部材の一例としてのベルト３９が張架されている。
【００４７】
よって、実施例１では、前記駆動モータ３６の駆動力が前記ベルト３９および前記プーリー３８を介して前記駆動軸８に伝達されることにより、前記駆動軸８および前記駆動コロ９が回転駆動する。
また、前記後端面７ｂの上下方向中央部には、前記駆動軸８および前記軸部３７より後方に延びる後側被支持部の一例としての後側ブラケット４１，４２が左右方向に間隔を空けて支持されている。前記後側ブラケット４１，４２の後端面には、後方に突出する後側被位置決め部の一例としてのボス４１ａ，４２ａが形成されている。
実施例１では、前記媒体搬送ユニットＳｋが前記画像形成装置本体Ｕ１に装着される際に、前記ボス４１ａ，４２ａが前記画像形成装置本体Ｕ１側の図示しない孔部に嵌まることにより、前記媒体搬送ユニットＳｋが前記画像形成装置本体Ｕ１に対して位置決めされる。
【００４８】
（実施例１の開閉部２の説明）
また、開閉部２は、下端壁の一例として、前記ローワーシュート４に対向して配置され、前記ローワーシュート４との間で前記媒体循環路ＳＨ５を構成する上側案内部材の一例としてのアッパーシュート５１を有する。前記アッパーシュート５１の前後両端は、前側支持部の一例としての前側支持プレート５２および後側支持部の一例としての後側支持プレート５３の下端で支持されている。前記各支持プレート５２，５３の間は、右側連結部の一例としての右側タイバー５４および左側連結部の一例としての左側タイバー５６によって連結されている。
図５Ｂにおいて、前記後側支持プレート５３の後端面５３ａには、左右方向に延びる開閉軸５７が支持されており、前記開閉軸５７は、前記後側支持プレート７の開閉軸受部３５に回転可能に支持されている。このため、実施例１の前記開閉部２は、前記開閉軸５７を回転中心として、前記固定フレーム３に対して回転可能に支持されている。
【００４９】
前記アッパーシュート５１の前後方向中央部には、前記ローワーシュート４のコロ貫通孔４ａと同様のコロ貫通孔５１ａが形成されている。また、前記アッパーシュート５１の上端面５１ｂには、前記コロ貫通孔５１ａに対応する位置に、上方に突出する従動軸受部５１ｃが形成されており、前記従動軸受部５１ｃには前記駆動軸８に対応する前記搬送ロールＲａの従動軸５８が回転可能に支持されている。また、前記従動軸５８には、前記コロ貫通孔５２ａに対応して、前記駆動コロ９と対向する従動コロ５９が支持されており、前記従動コロ５９は、一部が前記コロ貫通孔５２ａを下方に貫通し且つ下端部が前記駆動コロ９の上端部と接触可能に支持されている。
また、前記従動軸５８どうしの間には、前記搬送ロールＲａによって搬送される記録シートＳを検知する媒体検知部材の一例としてのシートセンサＳＮ１が配置されている。
よって、実施例１では、前記シートセンサＳＮ１によって前記媒体搬送ユニットＳｋに記録シートＳが搬入されたことが検知されると、駆動モータ３６により回転する駆動コロ９と前記従動コロ５９との間でシートＳが挟まれながら媒体搬送方向下流側の左方に搬送される。
【００５０】
図７は実施例１のハンドルおよびラッチの斜視拡大説明図である。
また、図５、図７において、実施例１の前記前側支持プレート５３の前端面５３ａの中央部には、操作支持部の一例として、前方に突出する板状のハンドル支持部６１が形成されている。ハンドル支持部６１の左右方向中央部には、上下方向に貫通する開口６１ａが形成されている。ハンドル支持部６１の前端には、操作部の一例としてのハンドル６２が支持されている。また、ハンドル支持部６１の左右方向両端には、上方に延びる軸受部６３，６３が支持されている。軸受部６３，６３の左右外側には、前記前端面５３ａから前方に延びる軸受部材の一例としての軸支持ブラケット６４，６４が支持されている。
【００５１】
前記軸受部６３，６３および前記軸支持ブラケット６４，６４には、閉塞保持軸の一例として、左右方向に延びるロック軸６６が回転可能に支持されている。ロック軸６６の左右両側端部には、閉塞保持部材の一例としてのラッチ６７，６７の基端部６７ａ，６７ａが支持されている。図６において、ラッチ６７，６７は、基端部６７ａ，６７ａを回転中心として、ロック軸６６と一体的に回転可能に支持されており、基端部６７ａ，６７ａからラッチ受け部１３，１４に向けて延びる先端部６７ｂ，６７ｂには、閉塞保持部の一例として、後方に突出してラッチ受け部１３，１４の下面に引っ掛け可能な鉤爪状の引っ掛け部６７ｃ，６７ｃが形成されている。
【００５２】
ロック軸６６の左右方向中央部には、閉塞解除部材の一例としてのラッチ解除レバー６８が支持されている。ラッチ解除レバー６８は、解除操作部の一例として、前記開口６１ａを貫通して下方に延びるレバーグリップ６９を有する。
また、ロック軸６６の左右方向中央部には、付勢部材の一例として、線材が弦巻き状に巻かれて形成されたねじりバネ７１が装着されている。ねじりバネ７１の一端は、前記ハンドル支持部６１に支持され、他端はラッチ解除レバー６８によって支持されている。
なお、実施例１のねじりバネ７１は、いわゆる、トーションバネで構成されており、ラッチ解除レバー６８のレバーグリップ６９を常時下方に付勢している。
また、前記前側支持プレート５３の前端面５３ａの左右両端部には、前方に突出した被案内部７２，７３が支持されており、前記被案内部７２，７３の前端部には、前記ガイドバー１８，１９が貫通するガイドバー貫通孔７２ａ，７３ａが形成されている。
【００５３】
（実施例１の開閉部２の閉塞位置と開放位置との間の移動についての説明）
ここで、実施例１では、図５Ａおよび図５Ｂの実線に示すように、画像形成動作、いわゆる、ジョブの実行時には、前記開閉部２のアッパーシュート５１が前記固定部１のローワーシュート４に対向して前記媒体循環路ＳＨ５が構成された状態となっている。すなわち、前記開閉部２が前記固定部１に対して閉塞した閉塞位置に移動した状態となっている。
このとき、前記開閉部２および前記固定部１の各前端面５３ａ，６ａでは、前記ラッチ６７，６７は、ねじりバネ７１の付勢力でレバーグリップ６９が下方に付勢され、図５、図７に示すように引っ掛け部６７ｃ，６７ｃがラッチ受け部１３，１４に掛かった引っ掛け位置で保持されている。したがって、前記ラッチ６７，６７と前記ラッチ受け部１３，１４との引っ掛けにより、前記開閉部２が前記閉塞位置に保持されている。なお、押圧バネ２１，２２は、被案内部７２，７３によって下方に押圧されて自然長より縮んだ状態で保持されている。
【００５４】
この状態から、前記媒体搬送ユニットＳｋ内部で紙詰まり等が発生して、媒体循環路ＳＨ５が開放される場合、作業者によってレバーグリップ６９とハンドル６２とが把持されると、レバーグリップ６９が上方に移動し、ねじりバネ７１の付勢力に抗して、ロック軸６６を介し、ラッチ６７，６７が上方に向けて回転して、引っ掛け部６７ｃ，６７ｃがラッチ受け部１３，１４から外れる解除位置に移動し、ロックが解除される。したがって、前記開閉部２が前記固定部１に対して回転可能となり、作業者が前記開閉部２を上方に回転させると、前記開閉部２が図５Ｂの破線で示す開放位置に移動して、前記媒体循環路ＳＨ５が開放される。
【００５５】
この結果、実施例１では、前記開閉部２を、図５Ａの実線に示す閉塞位置と、図５Ｂの破線に示す開放位置との間で移動させることが可能となっている。
なお、前記ラッチ６７，６７が解除されると、押圧バネ２１，２２が被案内部７１，７２を上方に押圧するため、作業者が前記開閉部２を持ち上げる作業の補助がされる。また、押圧バネ２１，２２は、前記開閉部２が開放位置から閉塞位置に移動しようとした場合に制動する方向に力を作用させるので、前記開閉部２が自重等により作業者の意図に反して閉塞位置に移動することを抑制することができ、作業者の操作性が向上する。
【００５６】
（実施例１の本体固定ブラケット８１およびスペーサ９１の説明）
図８は実施例１の本体固定ブラケットの拡大説明図である。
また、図６、図８において、実施例１の前記前側支持プレート６の後端面６ｂには、本体固定部材の一例として、左右一対の本体固定ブラケット８１，８１が支持されており、前記本体固定ブラケット８１，８１を介して、前記媒体搬送ユニットＳｋが前記画像形成装置本体Ｕ１に固定されている。
実施例１の前記本体固定ブラケット８１は、前記後端面６ｂに対向して配置され且つ後方から支持する前記媒体搬送ユニットＳｋの支持部の一例であって、ユニット支持部の一例としての平板状の枠体支持部８２と、前記枠体支持部８２の下端から後方に延びて下方の前記画像形成装置本体Ｕ１に支持される平板状の本体被支持部８３とを有する。
前記枠体支持部８２の左側には、前方に突起して各突起貫通孔２４，２９を貫通して前記枠体支持部８２の位置決めをする突起部８４が形成されている。また、前記枠体支持部８２の右側には、螺子孔８５が形成されており、前記螺子孔８５には各螺子貫通孔２３，２８を貫通する螺子８６，８６が螺子止めされている。
【００５７】
したがって、前記各孔２３〜２７が形成されて右側の枠体支持部８２により支持される後端面６ｂの右端部に、右側の被支持部６ｃが形成されており、前記各孔２８〜３２が形成されて左側の枠体支持部８２により支持される後端面６ｂの左端部に、左側の被支持部６ｄが形成されている。すなわち、実施例１では、前記右側の被支持部６ｃと前記左側の被支持部６ｄとが前記前側支持プレート６に一体的に配置されている。
また、前記本体被支持部８３の左側には、丸孔状の本体螺子貫通孔８７が形成され、前記本体被支持部８３の右側には、左右方向に延びる長孔状の本体螺子貫通長孔８８が形成されている。前記本体被支持部８３は、前記各孔８７，８８を貫通する図示しない螺子が前記画像形成装置本体Ｕ１側の図示しない本体螺子孔に螺子止めされることで前記画像形成装置本体Ｕ１に支持される。
【００５８】
図９は実施例１のスペーサの拡大説明図である。
また、図６において、実施例１の前記前側支持プレート６の後端面６ｂには、調整部材の一例としてのスペーサ９１が支持されている。
図６、図９において、実施例１の前記スペーサ９１は、調整部材本体の一例として、前記後端面６ｂに対向して配置されたの平板状のスペーサ本体９１ａを有する。前記スペーサ本体９１ａの左端上部には、左方に延びる延長部９１ｂが形成されており、前記延長部９１ｂの左端部には、前方に突起して各突起貫通孔２７，３２，３４を貫通して前記スペーサ９１の位置決めが可能な突起部９２が形成されている。また、前記スペーサ本体９１ａの右端上部には、螺子孔９３が形成されており、前記螺子孔９３は、各螺子貫通孔２６，３１，３３を貫通する螺子９４によって螺子止め可能となっている。また、前記スペーサ本体９１ａの中央部には、後方に突出する錐壁状の錐壁突出部９６が形成されており、前記錐壁突出部９６には、前後方向に貫通する螺子貫通孔９６ａが形成されている。なお、実施例１の前記螺子貫通孔９６ａは、前記本体固定ブラケット８１の螺子孔８６より大径となるように形成されている。
【００５９】
（実施例１のスペーサ９１の着脱についての説明）
図６において、実施例１では、中央の突起貫通孔３４を突起部９２が貫通して位置決めされ且つ中央の螺子貫通孔３３を貫通した螺子９４に螺子孔９３が螺子止めされて前記スペーサ９１が後端面６ｂの中央部に支持されることにより、前記スペーサ９１が前記媒体搬送ユニットＳｋの内部に収容されている。
したがって、前記各孔３３，３４が形成され且つ前記スペーサ９１が収容される後端面６ｂの中央部に、スペーサ９１の収容部６ｅが形成されている。すなわち、実施例１では、前記収容部６ｅが前記前側支持プレート６に一体的に配置されている。
【００６０】
図１０は図７の状態から右側の被支持部と右側の枠体支持部との間にスペーサを装着した状態の説明図である。
図１１は右側の被支持部と右側の枠体支持部との間にスペーサが装着された媒体搬送ユニットをローワーシュートの下方から見下ろした状態の要部拡大説明図である。
図１２は媒体搬送ユニットの傾斜についての説明図であり、図１２Ａは右側の被支持部と右側の枠体支持部との間にスペーサが装着された媒体搬送ユニットを上方から見下ろした状態の説明図であり、図１２Ｂは左側の被支持部と左側の枠体支持部との間にスペーサが装着された媒体搬送ユニットを上方から見下ろした状態の説明図である。
また、実施例１では、図１０〜図１２に示すように、前記スペーサ９１を前記後端壁６ｂの各被支持部６ｃ，６ｄと前記本体固定ブラケット８１の枠体支持部８２との間に装着することも可能となっている。
【００６１】
具体的には、右側の被支持部６ｃと右側の枠体支持部８２との間にスペーサ９１を装着する場合には、まず、右側の被支持部６ｃと右側の枠体支持部８２とを離隔して、媒体搬送ユニットＳｋを画像形成装置本体Ｕ１から取り外す。次に、突起部９２を右側の突起貫通孔２７に貫通させ且つ右側の螺子貫通孔２６を貫通する螺子９４で螺子孔９３を螺子止めして、スペーサ９１を右側の被支持部６ｃに支持する。そして、突起部８４を右側の突起貫通孔２４に貫通させ且つ各螺子貫通孔２３，９６ａを貫通する螺子８６で螺子孔８５を螺子止めして、右側の被支持部６ｃを右側の本体固定ブラケット８１が支持することにより、スペーサ９１が右側の被支持部６ｃと右側の枠体支持部８２との間に装着された状態になる。
【００６２】
この結果、図１０、図１１に示すように、右側の被支持部６ｃと右側の枠体支持部８２との間にスペーサ９１が装着された場合には、図１２Ａの１点鎖線に示すように、前記媒体搬送ユニットＳｋの右端部が左端部より前方に配置され、前記媒体搬送ユニットＳｋが左右方向に対して傾斜した状態で前記画像形成装置本体Ｕ１に固定される。よって、傾斜した前記媒体搬送ユニットＳｋに記録シートＳが搬入された場合には、前記搬送ロールＲａによって、記録シートＳが媒体搬送方向である左右方向より後方に傾斜した方向に搬送される。すなわち、スペーサ９１を装着した場合にはスペーサ９１を装着しない場合における記録シートＳの媒体搬送方向に対して、交差する方向へ記録シートＳは搬送される。
【００６３】
また、左側の被支持部６ｄと左側の枠体支持部８２との間にスペーサ９１を装着する場合にも、媒体搬送ユニットＳｋを画像形成装置本体Ｕ１から取り外し、スペーサ９１を左側の被支持部６ｄに支持した後で、左側の被支持部６ｄを左側の本体固定ブラケット８１が支持することにより、スペーサ９１が左側の被支持部６ｄと左側の枠体支持部８２との間に装着された状態になる。
この結果、左側の被支持部６ｄと左側の枠体支持部８２との間にスペーサ９１が装着された場合には、図１２Ｂの２点鎖線に示すように、前記媒体搬送ユニットＳｋの左端部が右端部より前方に配置され、前記媒体搬送ユニットＳｋが左右方向に対して傾斜した状態で前記画像形成装置本体Ｕ１に固定される。よって、傾斜した前記媒体搬送ユニットＳｋに記録シートＳが搬入された場合には、前記搬送ロールＲａによって、記録シートＳが媒体搬送方向である左右方向より前方に傾斜した方向に搬送される。
【００６４】
ここで、実施例１では、前記各被支持部６ｃ，６ｄと枠体支持部８２との間にスペーサ９１が装着された場合でも、本体螺子貫通長孔８８よって画像形成装置本体Ｕ１の本体螺子孔の上方が開放される。このため、本体螺子貫通長孔８８を貫通させた螺子を本体螺子孔に螺子止めすることが可能となっている。すなわち、各孔８７，８８を貫通する２本の螺子によって前記本体被支持部８３が前記画像形成装置本体Ｕ１に固定支持可能になっている。
また、図１１に示すように、スペーサ９１と枠体支持部８２とについては、錐壁突出部９６の後端部のみが枠体支持部８２に接触しており、スペーサ９１と枠体支持部８２との接触面積が小さくなっている。
ここで、仮に、錐壁突出部９６が形成されておらず、スペーサ９１と枠体支持部８２とを面で対向させた状態で螺子止めする場合では、媒体搬送ユニットＳｋと画像形成装置本体Ｕ１とが傾斜して、互いに傾斜する板状のスペーサ本体９１ａと枠体支持部８２とが螺子止めされることになる。
【００６５】
この場合、螺子８６を締めすぎると、傾斜するスペーサ本体９１ａと枠体支持部８２とが面接触するまで歪んでしまい、スペーサ９１が固定されている媒体搬送ユニットＳｋが全体としてねじれたり、歪んだりする変形のおそれがある。そして、媒体搬送ユニットＳｋがねじれたりすると、記録シートＳの搬送方向が変化する等の搬送不良が発生するおそれがある。
これに対して、実施例１では、錐壁突出部９６で接触するため、螺子止めをした場合に、接触面が小さく、歪みも少なくて済むと共に、螺子８６を締めすぎても、主として、錐壁突出部９６が歪むだけで、媒体搬送ユニットＳｋ全体の歪み等への影響が軽減可能となっている。このため、媒体搬送ユニットＳｋが変形して媒体搬送ユニットＳｋが搬送する記録シートＳの搬送方向が変化する等の搬送不良が低減されている。
【００６６】
なお、図１２において、実施例１では、前記媒体搬送ユニットＳｋの右端より右方には、上流側の隙間ＳＰ１が形成されており、前記媒体搬送ユニットＳｋの左端より左方には、下流側の隙間ＳＰ２が形成されている。なお、実施例１の前記各隙間ＳＰ１，ＳＰ２は、前記媒体搬送ユニットＳｋが傾斜可能な程度の大きさで十分であり、例えば、３［ｍｍ］に設定できる。
また、実施例１の前記固定フレーム３の左右方向の長さである枠体長Ｌ１は、記録シートＳの最大サイズの左右方向の長さである媒体最大長以上に設定されている。具体的には、予め設定された最大サイズである「Ａ３ＳＥＦ（Short Edge Feed）」の左右方向の長さである４２０［ｍｍ］以上となる４８８［ｍｍ］に設定されている。
【００６７】
また、実施例１の前記固定フレーム３の前後方向の長さである枠体幅Ｌ２は、記録シートＳの最大サイズの前後方向の長さである媒体最大幅より大きくなるように設定されている。具体的には、「Ａ３ＳＥＦ」の前後方向の長さである２９７［ｍｍ］より大きい３４５［ｍｍ］に設定されている。
前記媒体搬送ユニットＳｋ、前記本体固定ブラケット８１、前記スペーサ９１等により、実施例１の調整部（Ｓｋ＋８１＋９１）が構成されている。
【００６８】
（実施例１のスキュー補正ユニットＳｈの搬入位置の説明）
図１３は実施例１のスキュー補正ユニットの搬入位置についての説明図である。
また、図１３において、実施例１の前記スキュー補正ユニットＳｈの左端には、記録シートＳの搬入部Ｓｈａが形成されている。実施例１では、前記搬入部Ｓｈａにおける記録シートＳの搬入位置が、記録シートＳの前端が前記サイドガイドＳＧａから予め設定された突き当て間隔Ｌ３より後方に離れた位置となるように予め設定されている。
前記スキュー補正ユニットＳｈの搬入部Ｓｈａ、クロスとロールＲｃ、サイドガイドＳＧａ等により、実施例１の整合部（Ｓｈａ＋Ｒｃ＋ＳＧａ）が構成されている。
【００６９】
（実施例１の作用）
前記構成を備えた実施例１の前記プリンタＵでは、ジョブが実行されると、図示しない手差し媒体供給部や給紙トレイＴＲ１，ＴＲ２から供給された記録シートＳが媒体供給路ＳＨ１を搬送され、スキュー補正ユニットＳｈでスキュー補正が実行された後、レジロールＲｒによってトナー像が２次転写領域Ｑ４に搬送される時期に合わせて搬送されて、１面目に画像が記録される。また、記録シートＳの両面に画像が記録される場合には、２次転写領域Ｑ４で画像が記録された記録シートＳが、定着領域Ｑ５、本体処理路ＳＨ２、反転路（ＳＨ４〜ＳＨ６）および媒体供給路ＳＨ１を通過して、片面記録済の記録シートＳが表裏反転されて、スキュー補正ユニットＳｈの搬入部Ｓｈａに再び搬入される。
【００７０】
ここで、実施例１の前記プリンタＵでは、図１、図２に示すように、反転路（ＳＨ４〜ＳＨ６）を通過した反転シートＳが搬入部Ｓｈａに搬入されるまでの搬送経路（Ｑ４，Ｑ５，ＳＨ２，ＳＨ４〜ＳＨ６，ＳＨ１）の長さが、１面目の記録シートＳが搬入部Ｓｈａに搬入されるまでの搬送経路（ＳＨ１）の長さに比べ、長く設定されている。よって、搬送経路（ＳＨ１）上に配置された搬送ロールＲａが多くなり、前記プリンタＵの製造時の取り付け誤差により、全ての搬送ロールＲａの媒体搬送方向が精確に揃わず、媒体搬送方向が幅方向に傾斜する可能性がある。
また、実施例１の前記プリンタＵでは、２次転写領域Ｑ４と定着領域Ｑ５との間の搬送経路と、反転路（ＳＨ４〜ＳＨ６）と媒体供給路ＳＨ１との間の搬送経路とについては、画像記録部Ｕ１ａおよび定着反転部Ｕ１ｂの異なる筐体で連結されている。よって、前記プリンタＵの設置時の組み付け誤差により、連結部分で幅方向である前後方向にズレる可能性がある。
【００７１】
さらに、実施例１の前記プリンタＵでは、１面目の記録シートＳは、前記手差し媒体供給部や給紙トレイＴＲ１，ＴＲ２の図示しない側端揃え部材によって幅方向の位置決めが精度良く実行されているのに対して、反転シートＳは、１面目に画像が記録されてから搬入部Ｓｈａに再び搬入されるまでに幅方向の位置決めが実行されない。
したがって、反転シートＳは、１面目の記録シートＳに比べ、前記搬入部Ｓｈａの図１３に示す搬入位置から前後方向（すなわち、記録シートＳの媒体搬送方向に直交する方向である記録シートＳの幅方向）にズレる可能性があり、スキュー補正ユニットＳｈでスキューを補正しきれなくなるおそれがある。そして、記録シートＳの搬入位置が前方に大きくズレると、最悪の場合、搬入部Ｓｈａの搬入可能範囲を超えてしまい、記録シートＳの媒体搬送方向前端がサイドガイドＳＧａの媒体搬送方向上流端に突き当たって紙詰まり等が発生する可能性もある。
【００７２】
これに対して、実施例１では、前記プリンタＵの設置時に、まず、スペーサ９１を媒体搬送ユニットＳｋ内部の収容部６ｅに収容して媒体搬送ユニットＳｋを画像形成装置本体Ｕ１に対して傾斜させない状態で、調整作業として、反転路（ＳＨ４〜ＳＨ６）を経由した反転シートＳをスキュー補正ユニットＳｈの搬入部Ｓｈａまで搬入させてみる。そして、搬送された記録シートＳが搬入位置より前後方向にズレていたり傾いていたりした場合には、図１２に示すように、反転シートＳのズレや傾きを打ち消す側にスペーサ９１を取り付けて搬入位置の調整が完了する。
例えば、反転シートＳが搬入位置より前方にズレていた場合には、右側の被支持部６ｃと枠体支持部８２との間にスペーサ９１を装着して、媒体搬送ユニットＳｋを図１２Ａに示す状態で前記画像形成装置本体Ｕ１に対して傾斜させて固定する。このため、前記媒体搬送ユニットＳｋに搬入された反転シートＳが、左右方向より後方に傾斜した方向に搬送され、搬入部Ｓｈａにおける前方のズレが打ち消される。
【００７３】
この結果、実施例１の前記プリンタＵは、スペーサ９１を装着して媒体搬送ユニットＳｋを傾斜させない従来の構成に比べ、各被支持部６ｃ，６ｄと枠体支持部８２との間にスペーサ９１を装着するという簡素な構成で記録シートＳの幅方向のズレが低減される。よって、実施例１の前記プリンタＵは、第２の搬送路（ＳＨ４〜ＳＨ６，ＳＨ１）を通過した反転シートＳの整合、すなわち、サイドレジ補正・リードレジ補正・スキュー補正等の用紙の位置や姿勢の補正のズレである整合ズレが抑制される。
また、実施例１の前記プリンタＵは、搬入部ＳＨａの搬入位置が、サイドガイドＳＧａから突き当て間隔Ｌ３より後方に離れた位置に設定されており、サイドガイドＳＧａから離れていない場合に比べ、記録シートＳの詰まりが低減されると共に、記録シートＳの傾きが精度良く補正される。
【００７４】
また、実施例１の前記プリンタＵは、固定フレーム３の枠体長Ｌ１および枠体幅Ｌ２が記録シートＳの最大サイズより大きく設定されている。
ここで、仮に、枠体長Ｌ１が反転シートＳの最大サイズよりも短い場合、反転シートＳは、媒体搬送ユニットＳｋ内部の搬送ロールＲａと、媒体搬送ユニットＳｋ外部の搬送ロールＲａとに跨った状態で搬送され易く、媒体搬送方向を傾斜させようとする媒体搬送ユニットＳｋ内部の搬送ロールＲａと、傾斜させようとしない媒体搬送ユニットＳｋ外部の搬送ロールＲａとの間で、反転シートＳがねじれたり、シワが発生したりするおそれがある。また、媒体搬送方向を傾斜させようとする媒体搬送ユニットＳｋ内部の搬送ロールＲａと、傾斜させようとしない媒体搬送ユニットＳｋ外部の搬送ロールＲａとの間で跨った状態では、媒体搬送ユニットＳｋ内部の搬送ロールＲａのみで搬送される場合に比べ、媒体搬送ユニットＳｋ外部の搬送ロールＲａが、媒体搬送ユニットＳｋ内部の搬送ロールＲａでの媒体搬送方向の傾斜の妨げとなるおそれもある。
【００７５】
これに対して、実施例１の前記プリンタＵでは、枠体長Ｌ１が反転シートＳの最大サイズよりも長く設定されており、反転シートＳ全体が媒体搬送ユニットＳｋ内に収容される期間が確保され、媒体搬送ユニットＳｋ内部の搬送ロールＲａのみでズレを打ち消す方向へ搬送させることが可能となっている。この結果、媒体搬送ユニットＳｋ内外の搬送ロールに跨って反転シートＳが搬送される場合に比べ、反転シートＳのズレを打ち消す方向への搬送が妨げられず、反転シートＳのねじれやシワの発生が低減される。
【００７６】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、画像形成装置としてのプリンタＵを例示したが、これに限定されず、ＦＡＸや複写機あるいはこれらすべてまたは複数の機能を備えた複合機とすることも可能である。また、モノクロの画像形成装置に限定されず、カラーの画像形成装置にも適用可能である。さらに、本発明は電子写真方式の画像形成装置以外のインクジェット記録式の画像形成装置や熱転写式の画像形成装置等にも適用することも可能である。
【００７７】
（Ｈ02）前記実施例では、スキュー補正ユニットＳｈを画像記録部Ｕ１ａに配置し、且つ、媒体搬送ユニットＳｋを定着反転部Ｕ１ｂに配置して、各ユニットＳｈ，Ｓｋが異なる筐体に保持されるように構成したが、これに限定されず、スキュー補正ユニットＳｈの媒体搬送方向上流側に媒体搬送ユニットＳｋが配置されていれば、各ユニットＳｈ，Ｓｋが共に画像記録部Ｕ１ａに配置された場合や定着反転部Ｕ１ｂに配置された場合でも、本発明の作用効果を奏することが可能である。このため、媒体搬送ユニットＳｋは、媒体循環路ＳＨ５に配置されることに限定されず、スキュー補正ユニットＳｈの媒体搬送方向上流側の他の搬送路ＳＨ２，ＳＨ４，ＳＨ６，ＳＨ１に配置することが可能である。
【００７８】
（Ｈ03）前記実施例では、本体固定ブラケット８１を介して、媒体搬送ユニットＳｋの下端部が画像形成装置本体Ｕ１に支持されていたが、媒体搬送ユニットＳｋが画像形成装置本体Ｕ１に支持される位置は下端部に限定されず、スペーサ９１を装着して媒体搬送ユニットＳｋが前後方向に傾斜可能であれば、例えば、媒体搬送ユニットＳｋの上端部や前後両端部が画像形成装置本体Ｕ１に支持されて宙吊り状態となる構成とすることも可能である。
（Ｈ04）前記実施例では、１種類のスペーサ９１を装着して、媒体搬送ユニットＳｋを画像形成装置本体Ｕ１に対して予め設定された傾斜角度だけ傾斜させていたが、これに限定されず、例えば、錐壁突出部９６の前後方向の長さが異なる数種類のスペーサ９１を準備しておき、傾斜の程度に応じていずれかを選択的に装着して、前記傾斜角度を調節する構成とすることも可能である。
【００７９】
（Ｈ05）前記実施例のように、スペーサ９１に錐壁突出部９６を形成して、媒体搬送ユニットＳｋ全体のねじれや歪み等の変形を低減することが好ましいが、スペーサ９１の形状については、各被支持部６ｃ，６ｄと右側の枠体支持部８２との間に装着可能であれば、任意に変更可能であり、錐壁突出部９６を省略することも可能である。
（Ｈ06）前記実施例のように、スペーサ９１を媒体搬送ユニットＳｋ内部の収容部６ｅに収容可能とすることが好ましいが、これに限定されず、収容部６を省略して、媒体搬送ユニットＳｋの外部に保管する構成も可能である。
（Ｈ07）前記実施例のように、固定フレーム３の枠体長Ｌ１が記録シートＳの媒体最大長以上に設定して、反転シートＳのズレを十分に打ち消す構成とすることが好ましいが、固定フレーム３の枠体長Ｌ１を媒体最大長より短く設定することも可能である。
【符号の説明】
【００８０】
３…枠体、６ｃ，６ｄ…被支持部、６ｅ…収容部、８２…支持部、９１…調整部材、Ｌ１…枠体長、Ｒａ…媒体搬送部材、Ｓ…媒体、ＳＧａ…側端揃え部材、（Ｓｈａ＋Ｒｃ＋ＳＧａ）…整合部、Ｓｈ…第１ユニット、Ｓｈａ…搬入部、ＳＨ１…第１搬送路、（ＳＨ４〜ＳＨ６）…反転路、（ＳＨ４〜ＳＨ６，ＳＨ１）…第２搬送路、（Ｓｋ＋８１＋９１）…調整部、Ｓｋ…第２ユニット、ＳＰ１…上流側の隙間、ＳＰ２…下流側の隙間、Ｑ４…画像記録領域、Ｕ…画像形成装置、Ｕ１…画像形成装置本体、（ＵＧ＋ＧＧ）〜（ＵＫ＋ＧＫ），Ｔ１ｇ〜Ｔ１ｋ＋Ｔ２＋Ｂ…画像形成部。
【図１】
2011121749.tif 000003
【図２】
2011121749.tif 000004
【図３】
2011121749.tif 000005
【図４】
2011121749.tif 000006
【図５】
2011121749.tif 000007
【図６】
2011121749.tif 000008
【図７】
2011121749.tif 000009
【図８】
2011121749.tif 000010
【図９】
2011121749.tif 000011
【図１０】
2011121749.tif 000012
【図１１】
2011121749.tif 000013
【図１２】
2011121749.tif 000014
【図１３】
2011121749.tif 000015